(57)【要約】【課題】個人のゴミの排出量と料金を確認でき、ゴミの発生を抑制するため、課金投入機付ゴミ貯留機を提供する。【解決手段】定量バケット、重量計、コンピュータ、表示計、保持ストッパーなどを構成する課金投入機付ゴミ貯留機について、条件とする手段を特徴とする。（１）通常では保持ストッパーが閉鎖されており、課金投入機の投入口の定量バケットは閉鎖されている。（２）投入手数料を課金すると保持ストッパーが開放され、定量バケットを手動で完全に開くことができた状態で、再び開閉ストッパーが閉鎖される。（３）定量バケットの中にゴミ袋を定量以下完全に格納すると、重量計およびコンピュータが作動し、重量値および投入料が表示される。課金が受領されれば、保持ストッパーが開放されるので、定量バケットを手動で完全に閉じると、ゴミ袋はゴミ貯留機の中へ排出されて貯留され、再び保持ストッパーが閉鎖される。【選択図】図１
2006089279.tif 000002
【特許請求の範囲】
【請求項１】
課金投入機（１）の前側の投入板（２）に投入口（３）を設け、投入口（３）の後下部の左右端に回転軸（４）を設け、回転軸（４）に定量バケット（５）を回転自在に枢着させ、定量バケット（５）の上部に開口部（６）を設け、投入板（２）の前方へ定量バケット（５）を回転して開口するように構成し、
投入板（２）の内部に重量計（７）および保持ストッパー（８）を設け、投入板（２）の前側に表示計板（９）および料金差入口（１０）を設け、課金投入機（１）の下部にコンピュータ（１１）を設け、課金投入機（１）に併せてゴミ貯留機（１２）を設け、
以下の条件とする手段として、
（イ）投入手数料（１３）を課金したあと、定量バケット（５）を手動で開くことができる手段、
（ロ）一定の定量バケット（５）を開口して保持し、ゴミ袋を定量以下に格納した後に、定量バケット（５）を閉鎖して保持し、ゴミを排出する手段、
（ハ）一定の定量バケット（５）を開口して保持し、重量計（７）によって重量を測定し、重量値を表示する手段、
（ニ）一定の定量バケット（５）を開口して保持し、コンピュータ（１１）によって重量値に値する投入料（１４）を表示する手段、
（ホ）ゴミが満量に達すると検知し、定量バケット（５）を閉鎖して保持し、満量を表示する手段、
を構成したことを特徴とする課金投入機付ゴミ貯留機。
【請求項２】
事業投入者（２０）のＩＤカード（２１）およびゴミ袋（２２）を任意の課金投入機（１）のコンピュータ（１１）に入力し、事業投入者（２０）の識別、ゴミの重量、ゴミ袋の個数（容量）、ゴミ質別、料金などのデータ（２３）を出力して、ネットワーク（２４）を通じて産廃業会社（３０）のコンピュータ（２５）に接続し、
定期的に事業投入者（２０）の請求書（２６）やデータ報告書（２７）などを送付し、
ゴミの貯留量が満量になると定量バケット（５）が閉鎖され、課金投入機（１）のコンピュータ（１１）からネットワーク（２４）を通じて産廃業会社（３０）のコンピュータ（２５）に満量警告（２８）が接続され、満量警告（２８）によって直ちに産廃業会社（３０）の収集車（２９）が配送され、課金投入機付ゴミ貯留機（１５）よりゴミを排出するシステムの方法を特徴とする請求項１記載の課金投入機付ゴミ貯留機。
【発明の詳細な説明】
【技術分野】
【０００１】  本発明は、課金装置を取付ける投入機に併設する、ゴミ貯留機に関するものである。
【背景技術】
【０００２】  無料のゴミ袋が日常的な携帯用として必要になっている。
（１）マーケットやスーパーなどで買物をする場合では、個人の買物袋を使わずに、レジ（金銭登録器）袋を利用して家庭まで携行する習慣になっている。
（２）集合住宅の場合では、空になったレジ袋の中にゴミを入れ、ゴミ袋としてゴミ保管場所まで持っていって投入する方法が便利であり習慣になっている。
（３）生ゴミなどの汚染ゴミを二重にしたゴミ袋にしっかり結ばなければ破れるので、臭気を密閉しないとゴミ保管場所の環境が悪くなっている。
（４）戸別住宅であってもゴミバケツを投入することは少なくなっており、リサイクル資源物が統制されてきているので、ゴミ袋が必要になってきており、ゴミ保管場所まで持って行く習慣になっている。
しかし、無料のゴミ袋の習慣化に反して、家庭ゴミの発生を抑制強化するために、有料ゴミ袋がますます必要になってきている。
産廃業者は産廃や家庭ゴミ以外の一般ゴミを有料化している。しかし一般的な市町村はまだ家庭ゴミを有料化方式にはしていない。有料化方式が一番多い方法では、ゴミを入れる袋を決め、それを買って貰う有料ゴミ袋方式である。有料ゴミ袋方式だと、ゴミの量が多ければ、袋の数も増えてそれだけ高くつく。シールを買って袋に貼る方法や、袋の重さを測って料金を決める方法がある。
３０〜４５リットル入りの有料ゴミ袋は２０〜３０円ぐらいが多い。有料ゴミ袋の料金をもっと高くしないと慣れてしまって、いったんは減っても、しばらくすると元に戻ってしまうといわれる。しかし、有料ゴミ袋を高くしすぎると、決まった有料ゴミ袋を買わずに不法投棄をする。
また、集合住宅のゴミ袋の排出を抑制すると同時に、ゴミ保管場所の広さが大きく問題になっている。集合住宅のマンションやアパートなどについては、ゴミ箱に設定する場所が無いので、ベランダにゴミ袋を貯留して、定期的にゴミ保管場所に排出している。
集合住宅のゴミ保管場所が広いところではゴミコンテナが多いが、ゴミ保管場所が狭いところでは機械的なゴミ貯留機を設置している。
現状での家庭ゴミの種類は、可燃物、不燃物、リサイクル資源物、大型廃棄物などに、纏められ統制されている。とくに不燃物やリサイクル資源物などについては、住民の協力によって比較的簡単に分けることができる。しかし、生ゴミや包装容器や雑物になっている可燃物の容量は６０％以上の大部分になっており分別も難しい。
ゴミ貯留機は小型でまとまっており、ゴミ保管場所が狭くても環境衛生が良く利点が大きい。しかし、ゴミ貯留機の中にゴミ袋を投入すると、ゴミ袋の可燃物以外の雑物も投入される。したがって、リサイクル資源物などのゴミ袋を分別するためには、ゴミ保管場所にゴミコンテナを設置したほうが便利である。
【発明の開示】
【発明が解決しようとする課題】
【０００３】  ゴミコンテナとゴミ貯留機の問題が難しい背景になっている。
住宅領域のゴミ保管所では、ゴミコンテナや、ゴミ貯留機を設置しているが、有料ゴミ袋を投入する傾向が大きくなってきている。
ゴミコンテナの中には、住民は有料ゴミ袋や無料ゴミ袋を混入して投入している。
したがって、ゴミコンテナを搬送して収集車に投入する前に、作業員が監視して選択し、ゴミコンテナの蓋を開いて無料ゴミ袋を取り除く指導が行われている。
しかし、機械的なゴミ貯留機の場合では、有料ゴミ袋や無料ゴミ袋を混入して貯留機の内部の中に保管している。したがって貯留機の内部を開くことができないので、無料ゴミ袋を取り除くことができない。
以上のように、有料ゴミ袋の利用拡大は家庭ゴミ発生抑制に大いに期待されているが、実際の有料ゴミ袋の効果は曖昧になっている。
一方、ドイツ国の家庭ゴミの発生抑制については、ゴミ袋を廃止している。
ドイツ国は既に家庭ゴミの排出量に応じて課金にし、ゴミ発生抑制を有効的に行われている。ドイツ国のゴミバケットと日本のゴミ袋を比較して、ゴミ保管場所の設置について問題になっている。
ドイツ国のマーケットではレジ袋などはなく、自分の袋で買物にしてゴミバケットを利用する。住宅に複数のゴミバケットを分別し、戸別に来た課金装置付の収集車に、リフターと重量計とコンピュータを設け、ゴミ重量に見合った課金と請求書と姓名を住民へ直に送付している。
しかし、日本では集合住宅領域の場所が狭いので、ゴミ保管場所にゴミ袋を定期的に集め、収集車へ一括して配送する。したがって、ゴミ袋を貯留しても個々に課金することはできない。また、ゴミ袋の課金装置を設けると、課金したあとの排出されたゴミ袋を個々に保管し、収集車へ一括して排出しなければならない。それには多量に貯留し搬送する機能をもつゴミ貯留機がどうしても必要になる。
したがって、課金装置を取付けるゴミ貯留機が必要になる。【０００４】  そのためには、最も簡単で便益な構造として、公知の定量バケット投入機に課金装置とゴミ貯留機を併せて、同時につぎのような問題点が必要になってくる。
（１）投入するときの荷役作業を少なくなる方法、
（２）ゴミの重量、容量、料金を納得できる方法、
（３）ゴミの投入量や料金の累積を確認できる方法、
（４）ゴミ袋を一定以下にするように抑制する方法、
（５）投入機に対して課金装置を簡単に取付けることができる方法
（６）ゴミ袋が溢れ出る現象を防止する方法
（７）ゴミの臭気を防止する方法
（８）不法投棄ができない方法
（９）任意な時間で多量の排出量を効率的に貯留する方法
（１０）個人のゴミの排出量と料金が確認できるゴミ発生抑制する方法
本発明は、これらの問題点を解決するためになされたものである。
【課題を解決するための手段】
【０００５】  課金投入機の前側の投入板に投入口を設け、投入口の後下部の左右端に回転軸を設け、回転軸に定量バケットを回転自在に枢着させ、定量バケットの上部に開口部を設け、投入板の前方へ定量バケットを回転して開口するように構成し、
投入板の内部に重量計および保持ストッパーを設け、投入板の前側に表示計板および料金差入口を設け、課金投入機の下部にコンピュータを設け、課金投入機に併せてゴミ貯留機を設け、さらに、以下の条件とする手段を構成する。
（イ）投入手数料を課金したあと、定量バケットを手動で開くことができる手段、
（ロ）一定の定量バケットを開口して保持し、ゴミ袋を定量以下に格納した後に、定量バケットを閉鎖して保持し、ゴミを排出する手段、
（ハ）一定の定量バケットを開口して保持し、重量計によって重量を測定し、重量値を表示する手段、
（ニ）一定の定量バケットを開口して保持し、コンピュータによって重量値に値する投入料を表示する手段、
（ホ）ゴミが満量に達すると検知し、定量バケットを閉鎖して保持し、満量を表示する手段。【０００６】  請求項１記載の課金投入機付ゴミ貯留機について、ＩＤカード（身分証明書）を利用して、複数の課金投入機付ゴミ貯留機と産廃業会社のシステムの方法を説明する。
（１）事業投入者のＩＤカード（身分証明書）およびゴミ袋を任意の課金投入機のコンピュータに入力する。
（２）事業投入者の識別、ゴミの重量、ゴミ袋の個数（容量）、ゴミ質別、料金などのデータを出力する。
（３）ネットワークを通じて産廃業会社のコンピュータに接続する。
（４）定期的に事業投入者の請求書やデータ報告書などを送付する。
（５）ゴミの貯留量が満量になり定量バケットが閉鎖される。
（６）課金投入機のコンピュータからネットワークを通じて産廃業会社のコンピュータに満量警告が接続される。
（７）満量警告によって直ちに産廃業会社の収集車が配送され、課金投入機付ゴミ貯留機よりゴミを排出する。
【発明の効果】
【０００７】  有料ゴミ袋用の集合ゴミコンテナに対して、課金投入機付ゴミ貯留機の発明効果を比較する。
（１）ゴミコンテナの場合では、集合した設置場所や作業範囲を広くする必要があり、荷役コストが高くなる。
これに対して本発明の場合では、設置場所や作業範囲を小さくでき、効率が良くなり、荷役作業は少なくすることができる。
（２）ゴミコンテナの場合では、ゴミ袋の重量や課金額を確認することはできない。
これに対して本発明の場合では、ゴミ袋の重量や課金額を明確に納得できるので、ゴミ発生の抑制を意識させることができる。
（３）ゴミコンテナの場合では、個人ゴミ袋の累積排出量を知ることはできない。これに対して本発明の場合では、計算機によって個人の投入量、課金額の累積を判ることができるので、ゴミ発生の抑制を意識させることができる。
（４）ゴミコンテナの場合では、有料ゴミ袋の中にゴミを精一杯に押し込むので、１袋であっても容量は多くなるので抑制にはならない。
これに対して本発明の場合では、ゴミ袋の大きさを定量バケットの中に一定以下にするように抑制することができる。また、ゴミ袋の大きさを大き過ぎにした場合では、数個の袋を分担するので、課金は余計に多くなる。結局はゴミ排出量の容量を抑制する必要がある。
（５）ゴミコンテナの場合では、ゴミ袋を課金するとすれば、収集車へ同時に重量測定することになり、作業時間が長く効率が悪くなり、荷役コストも大きくなる。
これに対して本発明の場合では、ゴミ袋を重量測定し、課金を簡単に確認し、ゴミ貯留機の中に貯留し保管することができるので、荷役コストは少なくなる。
（６）ゴミコンテナの場合では、満量になっても更に投入するので、ゴミ袋が溢れだしているのが多い。
これに対して本発明の場合では、ゴミ貯留機が満量になると、投入口を閉鎖し、投入手数料を課金しても強引に投入できないように構成できる。
（７）ゴミコンテナの場合では、ゴミコンテナを密閉できないので、ゴミの臭気、カラスの散らかし、害虫の発生などの衛生環境を良くすることはできない。
これに対して本発明の場合では、課金されたゴミ貯留機の中を密閉するので、ゴミの臭気を防止し、環境衛生は良くすることができる。
（８）ゴミコンテナの場合では、ゴミコンテナの中に袋にさないでバラゴミを入れたり、公衆道徳や不法投棄などの行為をしても、強制的に密閉することはできない。
これに対して本発明の場合では、通常では不法投棄しないように定量バケットを閉鎖し、課金してはじめて定量バケットを開口できるようにする。
（９）ゴミコンテナの場合では、ゴミコンテナを一ヶ所に集中させると広い保管場所が必要になり、しかも、ゴミコンテナを移動させるための荷役の場所がさらに多くなる。
これに対して本発明の課金投入機付ゴミ貯留機にＤＩカードを利用すると、複数の課金投入機付ゴミ貯留機を分散させても、ゴミ貯留機の満量を同時に制御することができるので、多くの排出量を効率的に貯留できる。したがって、住民が任意にゴミを投入することができ、収集車を効率的に配送することもできる。しかも、広い保管場所にする必要はなく、狭い保管場所に分散して設置することができる。
【発明を実施するための最良の形態】
【０００８】  本発明の実施例の形態について構造を説明にする。
図１は本発明の実施例の前面図、図２は右側面図、図３は課金投入機の右側面図で定量バケット閉鎖時の状態、図４は課金投入機の右側面図で定量バケット開口時の状態、図５は課金投入機の左側面図で定量バケット閉鎖時の状態、図６は課金投入機の左側面図で定量バケット閉鎖時の状態である。
課金投入機（１）の前側の投入板（２）に投入口（３）を設ける。投入口（３）の後下部の左右端に回転軸（４）を設ける。回転軸（４）に定量バケット（５）を固定する。回転軸（４）の左右端に軸受（３１）を回転自在に枢着させる。軸受（３１）を投入板（２）に取付ける。
定量バケット（５）の側方に扇形の右側板（３２）および左側板（３３）を設ける。扇形の中心に回転軸（４）を設ける。右側板（３２）および左側板（３３）の前部に前板（３４）、後部に後板（３５）、中央部に中板（３６）、上部の扇形の外径面に上板（３７）を設ける。定量バケット（５）は扇形箱状の上部に開口部（６）にした形状にする。
図４では、定量バケット（５）を開くときには、投入口（３）へ定量バケット（５）を前方へ通過させ、定量バケット（５）の開口部（６）を投入板（２）の前方に置き、後板（３５）で投入口（３）を塞ぐ状態にする。
図３では、定量バケット（５）を閉じるときには、定量バケット（５）の開口部（６）を後方へ通過させて、前板（３４）で投入口（３）を塞ぐように構成している。
前板（３４）の前上部に手動ハンドル（３８）を設ける。
投入口（３）の右上側の内部に、重量計（７）および開スイッチ（３９）を設け、投入口（３）の右下側の内部に、閉スイッチ（４０）を投入板（２）に設ける。
右側板（３２）の後部に当板（４１）を設ける。
図３では、定量バケット（５）を閉じた状態で、当板（４１）は下方にある。
図４では、定量バケット（５）を開いた状態で、当板（４１）を回転して重量計（７）および開スイッチ（３９）に接触している。
投入口（３）の左上側の内部に、電動シリンダー（４２）を投入板（２）に設ける。電動シリンダー（４２）の上部に保持ストッパー（８）を設ける。保持ストッパー（８）は上下に作動できる。
左側板（３３）の前部に前掛金（４３）、後部に後掛金（４４）を設ける。前掛金（４３）および後掛金（４４）に掛金穴（４５）、（４６）を設ける。
図５では、定量バケット（５）を閉じた状態で、前掛金（４３）は電動シリンダー（４２）に合致しており、掛金穴（４５）に保持ストッパー（８）を挿入している。
図６では、定量バケット（５）を開いた状態で、後掛金（４４）は電動シリンダー（４２）に合致しており、掛金穴（４６）に保持ストッパー（８）を挿入している。
図１は、投入口（３）の上側で投入板（２）の前側に表示計板（９）を設けている。表示計板（９）に重量表示計（４７）、料金表示計（４８）、青色灯（４９）、赤色灯（５０）、および料金差入口（１０）を設ける。
課金投入機（１）の下部にコンピュータ（１１）を設ける。【０００９】  本発明の実施例の構成について、現金またはプリペイド・カード（代金前払いカード）を使用するときに次のようにする。
（ａ）通常の状況では、電動シリンダー（４２）が作動して保持ストッパー（８）を前掛金（４３）に挿入し閉鎖し、定量バケット（５）を閉鎖した状態で固定している。青色灯（４９）および赤色灯（５０）は消灯されており、手動ハンドル（３８）を開くことができない。料金表示計（４８）に「投入手数料」の文字は表示されている。
（ｂ）料金差入口（１０）へ現金を挿入すると、青色灯（４９）が表示され、電動シリンダー（４２）が作動して保持ストッパー（８）を前掛金（４３）より離脱させ開放する。
（ｃ）青色灯（４９）を確認したあと、定量バケット（５）を手動ハンドル（３８）で任意に開くことができる。
（ｄ）定量バケット（５）を完全に開くと、開スイッチ（３９）が接点になり、電動シリンダー（４２）が作動して、保持ストッパー（８）を後掛金（４４）に挿入して閉鎖し、定量バケット（５）を開口した状態で固定する。
と同時に、重量計（７）に当板（４１）が接触し、赤色灯（５０）が点灯され、重量表示計（４７）および料金表示計（４８）に文字「０」を表示される。
（ｅ）固定された定量バケット（５）の中にゴミ袋を格納すると、ゴミ袋は重量計（７）で測定され、「ゴミ重量値」が重量表示灯（４７）に表示される。と同時に、コンピュータ（１１）によってゴミ重量値に値する「ゴミ投入料」が料金表示灯（４８）に表示される。
（ｆ）「ゴミ投入料」を承認すると、現金を料金差入口（１０）へ挿入する。するとコンピュータ（１１）によって電動シリンダー（４２）が作動し、保持ストッパー（８）を後掛金（４４）より離脱させ開放させ、青色灯（４９）が表示される。
（ｇ）青色灯（４９）を確認すると、定量バケット（５）を手動ハンドル（３８）で回転させて閉鎖することができる。定量バケット（５）を完全に閉じると、閉スイッチ（４０）が接点になり、電動シリンダー（４２）が作動して、保持ストッパー（８）を前掛金（４３）に挿入して閉鎖し、定量バケット（５）を閉鎖した状態で固定し、青色灯（４９）は消灯される。
（ｈ）ゴミが満量に達すると検知され、課金投入機（１）の保持ストッパー（８）を閉鎖する。この場合は、定量バケット（５）を手動ハンドル（３８）で回転させて完全に閉鎖した後で、自動的にストッパーが閉鎖され、定量バケット（５）が固定され、赤色灯（５０）が点灯され、重量表示計（４７）に文字「満量」が表示され、課金投入機（１）を開くことはできない。
【実施例１】
【００１０】  ゴミが満量になる検知方法としては、ゴミ貯留機の中に機械的な満量検知器を設けることもできる。また、定量バケットの投入回数によって、予め総排出量の限界容量を計算機によって設定し、限界容量に達するときに文字「満量」が表示され、課金投入機の保持ストッパーが閉鎖することもできる。
【実施例２】
【００１１】  本発明の実施例の構成について、ＩＤカード（２１）の場合では現金と殆ど同じ手法になるが、さらに、次のような簡便な方法を利用できる。
（ａ）ＩＤカード（２１）を料金差入口（１０）へ一旦挿入すると、コンピュータ（１１）によって投入手数料（１３）および投入料（１４）が加算して課金され、総ゴミ投入料を表示することができる。
（ｂ）コンピュータ（１１）によって重量値の総計を計算し、総重量値を表示することもできる。
（ｃ）コンピュータ（１１）によって投入手数料（１３）と投入料（１４）を加算して、合計投入料を表示することができる。
（ｄ）ＩＤカード（２１）に投入者名を記名し、個別について投入手数料、投入料、合計投入料、総合計投入料、重量値、総重量値などを重量計によって計算することができる。
【実施例３】
【００１２】  ＩＤカード（身分証明書）（２１）を利用して、複数の課金投入機付ゴミ貯留機（１５）を便益てきな方法をすることができる。
図７は、複数の課金投入機付ゴミ貯留機（１５）と産廃業会社（３０）のシステム図を示す。
（１）事業投入者（２０）のＩＤカード（身分証明書）（２１）およびゴミ袋（２２）を任意の課金投入機（１）のコンピュータ（１１）に入力する。事業投入者（２０）のＩＤカード（２１）によって、課金投入機（１）のコンピュータ（１１）から事業系ゴミ質別に対応する料金を選別し、事業系ゴミを投入する。また、家庭住民のＩＤカードを利用する場合では、家庭系ゴミ質別に対応する料金にすることができる。
（２）事業投入者（２０）の識別、ゴミの重量、ゴミ袋の個数（容量）、ゴミ質別、料金などのデータ（２３）を出力する。
（３）ネットワーク（２４）を通じて産廃業会社（３０）のコンピュータ（２５）に接続する。
同時に、課金投入機（１）のコンピュータ（１１）によって、同じように事業投入者（２０）はデータ（２３）を確認することができる。
（４）定期的な投入時期によって、事業投入者（２０）の請求書（２６）やデータ報告書（２７）などを送付する。
（５）課金投入機付ゴミ貯留機（１５）への貯留量が満量になると、定量バケット（５）が閉鎖される。
また、他の複数の課金投入機付ゴミ貯留機へＩＤカードを使うことができる。
（６）課金投入機（１）のコンピュータ（１１）からネットワーク（２４）を通じて産廃業会社（３０）のコンピュータ（２５）に満量警告が接続される。
（７）満量警告によって直ちに産廃業会社（３０）の収集車（２９）が配送され、課金投入機付ゴミ貯留機（１５）よりゴミを排出する。
【図面の簡単な説明】
【００１３】
【図１】本発明の実施例の前面図を示す。
【図２】本発明の実施例の右側面図を示す。
【図３】課金投入機の右側面図で定量バケット閉鎖時の状態を示す。
【図４】課金投入機の右側面図で定量バケット開口時の状態を示す。
【図５】課金投入機の左側面図で定量バケット閉鎖時の状態を示す。
【図６】課金投入機の左側面図で定量バケット閉鎖時の状態を示す。
【図７】複数の課金投入機付ゴミ貯留機と産廃業会社のシステム図を示す。
【符号の説明】
【００１４】      １  課金投入機
２  投入板
３  投入口
４  回転軸
５  定量バケット
６  開口部
７  重量計
８  保持ストッパー
９  表示計板
１０  料金差入口
１１  コンピュータ
１２  ゴミ貯留機
１３  投入手数料
１４  投入料
２０  事業投入者
２１  ＩＤカード
２２  ゴミ袋
２３  データ
２４  ネットワーク
２５  コンピュータ
２６  請求書
２７  データ報告書
２８  満量警告
２９  収集車
３０  産廃業会社
【図１】
2006089279.tif 000003
【図２】
2006089279.tif 000004
【図３】
2006089279.tif 000005
【図４】
2006089279.tif 000006
【図５】
2006089279.tif 000007
【図６】
2006089279.tif 000008
【図７】
2006089279.tif 000009